【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
入力画像における信号値を複数種類の実色材値に変換する色変換処理で用いられる色変換ルックアップテーブルの作成装置であって、
前記色変換ルックアップテーブルにおける着目格子点の実色材値と、前記着目格子点の近傍格子点の実色材値とを取得する取得手段と、
前記着目格子点の実色材値と、前記近傍格子点の実色材値とを仮想色材値に変換する変換手段と、
前記着目格子点の仮想色材値と、前記近傍格子点の仮想色材値とに基づいて、前記着目格子点の実色材値を修正する修正手段と、を有し、
前記仮想色材値は、実色材の分光反射率をｎ個（ｎは３以上の整数）のブロックに分割した場合に、分割された前記各ブロックにおける分光反射率の光のみを吸収する仮想的な色材の出力値であることを特徴とする色変換ルックアップテーブルの作成装置。
【請求項２】
前記修正手段は、前記着目格子点の仮想色材値と、前記近傍格子点の仮想色材値とが滑らかに変化するように、前記着目格子点の実色材値を修正することを特徴とする請求項１に記載の作成装置。
【請求項３】
さらに、前記着目格子点の仮想色材値と、前記近傍格子点の仮想色材値とに基づいて、前記着目格子点の実色材値に対する評価値を算出する算出手段を有し、
前記修正手段は、前記評価値に基づいて前記着目格子点の実色材値を修正することを特徴とする請求項１または請求項２に記載の作成装置。
【請求項４】
前記修正手段は、前記着目格子点の仮想色材値と、前記近傍格子点の仮想色材値とに基づいて、前記着目格子点の位置を修正することを特徴とする請求項１から請求項３のいずれか１項に記載の作成装置。
【請求項５】
前記評価値は、前記着目格子点の仮想色材値と、前記近傍格子点の仮想色材値との間の変化の滑らかさを示す値であることを特徴とする請求項３に記載の作成装置。
【請求項６】
前記変化の滑らかさは、前記着目格子点における前記仮想色材値または前記実色材値の変化の線形性、あるいは、前記着目格子点の配置の線形性であることを特徴とする請求項５に記載の作成装置。
【請求項７】
前記変化の滑らかさは、前記着目格子点における前記仮想色材値または前記実色材値の曲率であることを特徴とする請求項５に記載の作成装置。
【請求項８】
前記変化の滑らかさは、前記着目格子点と前記近傍格子点とを結ぶ変位ベクトルの和であることを特徴とする請求項５に記載の作成装置。
【請求項９】
前記入力画像における信号値を前記色変換ルックアップテーブルの入力値として用いられる第２の信号値に非線形変換する非線形変換手段と、
前記非線形変換で用いられる非線形変換パラメータを修正する第２の修正手段と、をさらに有し、
前記算出手段は、前記第２の信号値を可変させた場合の複数の前記実色材値を変換して得られる複数の前記仮想色材値を用いて複数の前記評価値を算出し、
前記第２の修正手段は、前記入力画像における信号値を、前記複数の評価値のうち最良の評価値に対応する前記第２の信号値に変換するように、前記非線形変換パラメータを修正することを特徴とする請求項３に記載の作成装置。
【請求項１０】
前記非線形変換パラメータは、前記非線形変換で用いられる１次元非線形変換ＬＵＴであることを特徴とする請求項９に記載の作成装置。
【請求項１１】
前記非線形変換パラメータは、前記複数種類の実色材ごとに存在することを特徴とする請求項９または請求項１０に記載の作成装置。
【請求項１２】
前記色変換ルックアップテーブルを用いて変換された前記実色材値を第２の実色材値に非線形変換する非線形変換手段と、
前記非線形変換で用いられる第２の非線形変換パラメータを修正する第３の修正手段と、をさらに有し、
前記算出手段は、前記実色材値を可変させた場合の複数の前記第２の実色材値を変換して得られる複数の前記仮想色材値を用いて複数の前記評価値を算出し、
前記第３の修正手段は、前記実色材値を、前記複数の評価値のうち最良の評価値に対応する前記第２の実色材値に変換するように、前記第２の非線形変換パラメータを修正することを特徴とする請求項３に記載の作成装置。
【請求項１３】
前記第２の非線形変換パラメータは、ＯＰＧ処理で用いられる１次元非線形変換ＬＵＴであることを特徴とする請求項１２に記載の作成装置。
【請求項１４】
前記第２の非線形変換パラメータは、前記複数種類の実色材ごとに存在することを特徴とする請求項１２または請求項１３に記載の作成装置。
【請求項１５】
前記評価値に基づいて前記色変換ルックアップテーブルにおける格子点の数を決定する決定手段をさらに有することを特徴とする請求項３に記載の作成装置。
【請求項１６】
前記算出手段は、前記色変換ルックアップテーブルにおける格子点を減らした場合の前記実色材値を変換して得られる前記仮想色材値を用いて前記評価値を算出し、
前記決定手段は、前記評価値が所定の閾値以上となった場合に、前記色変換ルックアップテーブルにおける前記格子点の数を、前記評価値に対応する前記格子点の数に決定することを特徴とする請求項１５に記載の作成装置。
【請求項１７】
前記決定手段は、前記複数種類の実色材ごとに前記色変換ルックアップテーブルにおける前記格子点の数を決定することを特徴とする請求項１５または請求項１６に記載の作成装置。
【請求項１８】
前記仮想的な色材は、前記ブロックを分割したｎ個それぞれに対応したｎ種類の数存在し、前記ｎは前記実色材値の種類の数よりも少ないことを特徴とする請求項１から請求項１７のいずれか１項に記載の作成装置。
【請求項１９】
入力画像における信号値を複数種類の実色材値に変換する色変換処理で用いられる色変換ルックアップテーブルの作成方法であって、
前記色変換ルックアップテーブルにおける着目格子点の実色材値と、前記着目格子点の近傍格子点の実色材値とを取得するステップと、
前記着目格子点の実色材値と、前記近傍格子点の実色材値とを仮想色材値に変換するステップと、
前記着目格子点の仮想色材値と、前記近傍格子点の仮想色材値とに基づいて、前記着目格子点の実色材値を修正するステップと、を有し、
前記仮想色材値は、実色材の分光反射率をｎ個（ｎは３以上の整数）のブロックに分割した場合に、分割された前記各ブロックにおける分光反射率の光のみを吸収する仮想的な色材の出力値であることを特徴とする色変換ルックアップテーブルの作成方法。
【請求項２０】
コンピュータを、請求項１から請求項１８のいずれか１項に記載の色変換ルックアップテーブルの作成装置の各手段として機能させるためのプログラム。
【手続補正２】
【補正対象書類名】明細書
【補正対象項目名】発明の名称
【補正方法】変更
【補正の内容】
【発明の名称】色変換ルックアップテーブルの作成装置、色変換ルックアップテーブルの作成方法およびプログラム
【手続補正３】
【補正対象書類名】明細書
【補正対象項目名】０００７
【補正方法】変更
【補正の内容】
【０００７】
本発明の色変換ルックアップテーブルの作成装置は、入力画像における信号値を複数種類の実色材値に変換する色変換処理で用いられる色変換ルックアップテーブルの作成装置であって、前記色変換ルックアップテーブルにおける着目格子点の実色材値と、前記着目格子点の近傍格子点の実色材値とを取得する取得手段と、前記着目格子点の実色材値と、前記近傍格子点の実色材値とを仮想色材値に変換する変換手段と、前記着目格子点の仮想色材値と、前記近傍格子点の仮想色材値とに基づいて、前記着目格子点の実色材値を修正する修正手段と、を有し、前記仮想色材値は、実色材の分光反射率をｎ個（ｎは３以上の整数）のブロックに分割した場合に、分割された前記各ブロックにおける分光反射率の光のみを吸収する仮想的な色材の出力値であることを特徴とする。